(57)【要約】【課題】  特定の先ず素材として最適な樹種を選択し、更にこの最適な樹種本来の効能を更に高めるべく、板材としての形状の工夫や塗布する処理剤の適切な選定により、優れた耐候性、耐腐食性、耐寄生性を発揮することのできる、新規なウッドデッキ用板材並びにこれを用いたウッドデッキの開発を技術課題とした。【解決手段】  長尺の板材の少なくともその上下両面を適合加工形状としたウッドデッキ用板材２であって、この板材は、青森ヒバの赤身部位を用いたムク材を、木表側を板材上面２１として用いたものであり、また板材上面２１の適合加工形状は、両側部がその内側より低くなるように形成された排水促進面２２を具えた形状であり、また板材下面２３の適合加工形状は、板材下面２３の一部を長手方向に沿って溝状に削成された形状の通気促進溝２４を具えた形状とされていることを特徴として成る。【選択図】図１
2019098653.tif 000002
【特許請求の範囲】
【請求項１】
長尺の板材の少なくともその上下両面を適合加工形状としたウッドデッキ用板材であって、
この板材は、青森ヒバの赤身部位を用いたムク材を、木表側を板材上面として用いたものであり、
また板材上面の適合加工形状は、両側部がその内側より低くなるように形成された排水促進面を具えた形状であり、
また板材下面の適合加工形状は、板材下面の一部を長手方向に沿って溝状に削成された形状の通気促進溝を具えた形状とされていることを特徴とするウッドデッキ用板材。
【請求項２】
前記板材は、その含水率を１５％以下とし、表面に抗菌性塗料であるウッドロングエコ（商品名：有限会社小川耕太郎∞百合子社  販売）を塗布するとともに、木口を目止め処理したことを特徴とする請求項１記載のウッドデッキ用板材。
【請求項３】
前記板材は、長さ１８００〜２５００ｍｍ、幅１００〜１３０ｍｍ、厚さ２０〜４０ｍｍであり、上面の中央部に対し、両側部高さが３〜５ｍｍ低くなるように形成されていることを特徴とする請求項１または２いずれか記載のウッドデッキ用板材。
【請求項４】
前記通気促進溝は、溝深さ寸法を側部の板厚寸法の２５％以下、溝幅寸法を板幅寸法の２０％以下とし、更に総溝幅寸法を、板幅の４０％以下としたことを特徴とする請求項１、２または３いずれか記載のウッドデッキ用板材。
【請求項５】
複数本の大引きまたは根太に対し、前記請求項１、２、３または４いずれか記載のウッドデッキ用板材を、相互の間隔を空けた状態で固定して成ることを特徴とするウッドデッキ。
【請求項６】
前記大引きまたは根太は、ウッドデッキ用板材との接触面の角がＲ加工されていることを特徴とする請求項５記載のウッドデッキ。
【発明の詳細な説明】
【技術分野】
【０００１】
本発明はウッドデッキ用板材並びにこれを用いたウッドデッキに関するものである。
【背景技術】
【０００２】
屋外に設置されるウッドデッキは、常に暴露環境にあることから、強い耐候性、耐腐食性を要求される。
このため一般的には次のような種々の対策が採られている。例えば天然の木質素材である杉、檜等の板材を用いる場合、ペンキ等を塗って表面を保護し、耐候性を高めたり、防腐剤等を含浸させる手法が採られている（例えば特許文献１参照）。
しかしながらこのような対策でも、必ずしも充分な耐候性、耐腐食性等を得ることは難しく、且つ防腐剤等は雨水とともに流れ出て周辺環境を損なうという問題も指摘されている。
【０００３】
一方、耐候性、耐腐食性に優れた木地の硬い木材を用いる試みがあるが、この素材は表面に微小なささくれ等が生じ易く、且つ木地自体の密度が高い関係で、素足で乗った場合に、このささくれ部位がトゲとして足に刺さることがあり、安全面での懸念があった。
もちろんこのような木質素材による欠点を解消すべく合成樹脂のムク材や、合成樹脂の表面ライナー処理材や更には木質パウダーと合成樹脂材料との混練材等、合成樹脂材を適用したものもあるが、天然木質材と比べると素材の質感は満足できない。
【先行技術文献】
【特許文献】
【０００４】
【特許文献１】特開２００５−１１１９１６公報
【発明の概要】
【発明が解決しようとする課題】
【０００５】
本発明はこのような背景を考慮してなされたものであって、特定の先ず素材として最適な樹種を選択し、更にこの最適な樹種本来の効能を更に高めるべく、板材としての形状の工夫や塗布する処理剤の適切な選定により、優れた耐候性、耐腐食性、耐寄生性を発揮することのできる、新規なウッドデッキ用板材並びにこれを用いたウッドデッキの開発を技術課題としたものである。
【課題を解決するための手段】
【０００６】
すなわち請求項１記載のウッドデッキ用板材は、長尺の板材の少なくともその上下両面を適合加工形状としたウッドデッキ用板材であって、この板材は、青森ヒバの赤身部位を用いたムク材を、木表側を板材上面として用いたものであり、また板材上面の適合加工形状は、両側部がその内側より低くなるように形成された排水促進面を具えた形状であり、また板材下面の適合加工形状は、板材下面の一部を長手方向に沿って溝状に削成された形状の通気促進溝を具えた形状とされていることを特徴として成るものである。
【０００７】
また請求項２記載のウッドデッキ用板材は、前記要件に加え、  前記板材は、その含水率を１５％以下とし、表面に抗菌性塗料であるウッドロングエコ（商品名：有限会社小川耕太郎∞百合子社  販売）を塗布するとともに、木口を目止め処理したことを特徴として成るものである。
【０００８】
更にまた請求項３記載のウッドデッキ用板材は、前記要件に加え、前記板材は、長さ１８００〜２５００ｍｍ、幅１００〜１３０ｍｍ、厚さ２０〜４０ｍｍであり、上面の中央部に対し、両側部高さが３〜５ｍｍ低くなるように形成されていることを特徴として成るものである。
【０００９】
更にまた請求項４記載のウッドデッキ用板材は、前記要件に加え、前記通気促進溝は、溝深さ寸法を側部の板厚寸法の２５％以下、溝幅寸法を板幅寸法の２０％以下とし、更に総溝幅寸法を、板幅の４０％以下としたことを特徴として成るものである。
【００１０】
更にまた請求項５記載のウッドデッキは、複数本の大引きまたは根太に対し、前記請求項１、２、３または４記載のウッドデッキ用板材を、相互の間隔を空けた状態で固定して成ることを特徴として成るものである。
【００１１】
また請求項６記載のウッドデッキは、前記請求項５記載の要件に加え、前記大引きまたは根太は、ウッドデッキ用板材との接触面の角がＲ加工されていることを特徴として成るものである。
そしてこれら各請求項記載の発明を手段として前記課題の解決が図られる。
【発明の効果】
【００１２】
まず請求項１記載の発明によれば、青森ヒバの赤身部位（芯）にはヒノキチオールが多く含まれるため、ヒノキチオールの有する抗菌性、防虫性により、ウッドデッキ用板材の腐食を起こりにくくすることができる。
また板材上面に形成された排水促進面により、板材上面からの雨水の流下を促すとともに、板材下面に形成された通気促進溝により、板材に滲み込んだ雨水の蒸発を促すことができ、ウッドデッキ用板材の腐食を起こりにくくすることができる。
【００１３】
また請求項２記載の発明によれば、抗菌性塗料により、その塗布部を酸化することによって、腐朽菌が板材内に侵入しにくい環境を形成することができ、ウッドデッキ用板材の腐食を防止することができる。
【００１４】
更にまた請求項３記載の発明によれば、板材上面の適合加工形状である排水促進面を、効果的なものとして形成することができる。
【００１５】
更にまた請求項４記載の発明によれば、ウッドデッキ用板材の強度を損なうことなく、通気促進溝を形成することができる。
【００１６】
また請求項５記載の発明によれば、ウッドデッキ用板材の素材として最適な樹種を選択し、更にこの最適な樹種本来の効能を更に高めるべく、板材としての形状の工夫や塗布する処理剤の適切な選定により、優れた耐候性、耐腐食性、耐寄生性を発揮するウッドデッキを構成することができる。
【００１７】
また請求項６記載の発明によれば、ウッドデッキ用板材が大引きまたは根太に組み付けられた状態で、通気促進溝の機能低下が引き起こされてしまうことを回避することができる。
【図面の簡単な説明】
【００１８】
【図１】本発明のウッドデッキ用板材及びウッドデッキを一部破断・拡大して示す斜視図である。
【図２】ウッドデッキ用板材を示す側面図（ａ）、底面図（ｂ）及び平面図（ｃ）である。
【図３】ウッドデッキ用板材と大引きとの組み付け箇所を示す正面図（ａ）及び側面図（ｂ）である。
【図４】ウッドデッキ及び通気促進溝の種々の実施例を示す側面図である。
【図５】根太を用いて構成されたウッドデッキを一部破断して示す斜視図である。
【発明を実施するための形態】
【００１９】
本発明の身体情報検出装置の最良の形態は以下に示すとおりであるが、この形態に対して本発明の技術的思想の範囲内において適宜変更を加えることも可能である。
【実施例】
【００２０】
図１中、符号１で示すものが本発明のウッドデッキであり、このものは、建物本体１１に隣接したベース１２上に設置された床束１３に大引き１４が支持され、この大引き１４上にウッドデッキ床面１５が形成されたものである。
そして前記ウッドデッキ床面１５を構成するものが本発明のウッドデッキ用板材２であり、このものは図２に示すように、長尺の板材の少なくともその上下両面が適合加工形状とされるものである。
【００２１】
具体的には図２（ａ）に示すように、板材上面２１の適合加工形状は、両側（りょうそば）部がその内側、この実施例では中央部より低くなるような排水促進面２２として形状される。すなわち排水促進面２２は、木口から見て中央部分が最高部となり、両則に向かって下降する緩やかな曲線状の斜面が形成されるものである。
【００２２】
なおウッドデッキ用板材２の寸法は、一例として長さＬが１８００〜２５００ｍｍ、幅Ｗ１が１００〜１３０ｍｍ、高さ（厚さ）Ｈ１が２０〜４０ｍｍとされる。
またその木口形状は、両側部の高さＨ２が、板材上面２１の中央部（最高部）よりも３〜５ｍｍ低くなるように設定されるものであり、図２に示す実施例は、一例として中央部 (最高部）の高さＨ１を３０ｍｍとし、両側の高さＨ２を２７ｍｍとしたものである。
【００２３】
一方、板材下面２３の適合加工形状は図２（ｂ）に示すように、板材下面２３の一部を長手方向に沿って溝状に削成した形状の通気促進溝２４を具えた形状とされる。
この前記通気促進溝２４は、深さｄをウッドデッキ用板材２の側部の板厚寸法Ｈ２の２５％以下、開口部（下底）の幅ｗ２を、ウッドデッキ用板材２の幅Ｗ１の２０％以下とされる。更に複数の通気促進溝２４の幅ｗ２の総和が、ウッドデッキ用板材２の幅Ｗ１の４０％以下とされる。
なお図２に示す実施例は、通気促進溝２４の横断面形状を台形状としたものであり、一例として通気促進溝２４の天井部（上底）の幅ｗ３を１３ｍｍ、開口部（下底）の幅ｗ２を２０ｍｍとしたものである。
【００２４】
そして前記ウッドデッキ用板材２は、青森ヒバの赤身部位を用いたムク材が適用されるものであり、図２（ａ）に示す木目のように、木表側が板材上面２１となるようにして用いられるものである。
なお青森ヒバは、赤身部位（芯）にのみヒノキチオールが存在するものであり、また国産材の中で最も多く、ヒノキチオールが含まれるものである。このヒノキチオールは芳香族化合物の一つであり、抗菌性、防虫性、消臭性を有するものである。
また青森ヒバの赤身部位は、表面に微小なささくれや毛羽立ち等が生じにくく、表面の柔らかさ、やさしさが感じられる素材である。
なお他の木材を代用する場合には、なるべくヒノキチオールが多く含まれるものを選択することが望ましい。
【００２５】
また前記ウッドデッキ用板材２の含水率は１５％以下とされるものであり、更にその表面には抗菌性塗料（ウッドロングエコ（商品名：有限会社小川耕太郎∞百合子社  販売））が塗布されるものであり、この塗布に先立って木口には目止め処理が施されるものとする。
この抗菌性塗料は、塗布部２６（塗料が浸透した部位）を酸化することにより、腐朽菌が木材内に侵入しにくい環境を形成することができるものであり、鉱物、植物、酸化鉄、ハーブ等の天然成分から成る水性塗料であり、且つ揮発性物質を含まないものである。
【００２６】
本発明のウッドデッキ用板材２は、一例として上述したように構成されるものであり、以下、このウッドデッキ用板材２を用いた本発明のウッドデッキ１について説明する。
【００２７】
図１に示す実施例は、建物本体１１に隣接してウッドデッキ１が形成されるものであり、モルタル、コンクリートに等によって水平面が形成されたベース１２上の複数個所に束石１２ａが設置され、これら束石１２ａ上にそれぞれ床束１３が立設される。
そして各床束１３の上部が全て水平且つ同一面内となるように調整された後、床束１３の上に大引き１４（一例として８０ｍｍ×８０ｍｍ×１９００ｍｍ）が渡され、これら複数本の大引き１４の上面に前記ウッドデッキ用板材２がビス等を用いて固定されることにより、ウッドデッキ床面１５が形成されるものである。
なお図３（ｂ）に示すように、ウッドデッキ用板材２は、大引き１４上に適宜の間隔を空けて設置されるものであり、これは雨水の染込みによる木材の膨潤に伴う破損を防止するとともに、乾燥の促進を図るための措置である。
【００２８】
なお図５に示すように、前記大引き１４の上に根太１６を設置し、これら複数本の根太１６の上面にウッドデッキ用板材２を固定することにより、ウッドデッキ床面１５を形成するようにしてもよい。
また前記床束１３として、自立可能な鋼製束を用いる場合には、束石１２ａを用いることなく、ベース１２上に直接床束１３を設置することができる。
【００２９】
またこの実施例では前記大引き１４または根太１６における、ウッドデッキ用板材２との接触面の角にＲ加工を施すようにした。
具体的には図３（ａ）に示すように、大引き１４または根太１６と、ウッドデッキ用板材２とは直交するように設けられるものであり、前記接触面の角にＲ加工が施されることにより、ウッドデッキ用板材２の長手方向に沿って板材下面２３に形成された通気促進溝２４への空気の流入およびここからの流出が促されこととなる。
この結果、大引き１４または根太１６と、ウッドデッキ用板材２との接触面への湿気の篭りを低減し、腐食を防止することができる。
【００３０】
なお前記大引き１４または根太１６に施されるＲ加工寸法は、材の縦横法に応じて選択されるものであり、ウッドデッキ用板材２と接触する面の幅寸法が８００ｍｍの場合、Ｒ加工の寸法を３〜１５ｍｍ（Ｒ３〜Ｒ１５）とし、Ｒ加工によって切除される幅寸法が概ね４０％以下となるようにする。
【００３１】
上述の様に構成された本発明のウッドデッキ１は、青森ヒバの赤身部位（芯）にはヒノキチオールが多く含まれるため、ヒノキチオールの有する抗菌性、防虫性により、ウッドデッキ用板材２の腐食を起こりにくくすることができるものである。
また板材上面２１に形成された排水促進面２２により、板材上面からの雨水の流下を促すとともに、板材下面２３に形成された通気促進溝２４により、板材に滲み込んだ雨水の蒸発を促すことができ、ウッドデッキ用板材２の腐食を起こりにくくすることができるものである。
更に  またウッドデッキ用板材２は、含水率が１５％以下とされた後、抗菌性塗料が塗布されたものであるため腐朽菌の板材への侵入を防止し腐朽菌の繁殖を効果的に防止することができる。
このように本発明のウッドデッキ１は、最適な樹種、水分排除のための構成及び抗菌と量が相乗的に作用して、優れた耐候性、耐腐食性、耐寄生性を発揮することができるものである。
【００３２】
なお木材の腐食は腐朽菌の活動により進行するものであり、腐朽菌が活性化するためには、温度（気温３〜４５℃）、水分（大気の湿度８５％以上、木材含水率２５％以上）、空気（酸素）、養分（セルロース、リグニン等）の四条件が整うことが必要であり、このうちの一つでも満たさなければ腐朽菌が繁殖することはない。
そこで本発明においては、このうちの水分について、排水促進面２２及び通気促進溝２４の作用によってウッドデッキ用板材２から排除し、腐朽菌の活性化を阻害するものである。
【００３３】
〔他の実施例〕
本発明は上述した実施例を基本となる実施例とするものであるが、本発明の技術的思想に基づいて以下の様な実施例を採ることもできる。
まず上述した基本となる実施例では、板材上面２１の適合加工形状である排水促進面２２を、木口から見て中央部分が最高部となり、両則に向かって下降する緩やかな斜面が形成されるように形成したが、図４（ａ）に示すように両側（りょうそば）の内側部分であればどの部位が最高部と成るようにしてもよい。また排水促進面２２を木口から見て直線状に形成するようにしてもよい。
【００３４】
また通気促進溝２４の横断面形状も適宜改変することができるものであり、図４（ａ）に横断面形状を矩形状としたものを示し、図４（ｂ）に横断面形状を三角形状としたものを示し、図４（ｃ）に横断面形状を半楕円状としたものを示す。
【符号の説明】
【００３５】
１      ウッドデッキ
１１    建物本体
１２    ベース
１２ａ  束石
１３    床束
１４    大引き
１５    ウッドデッキ床面
１６    根太
２      ウッドデッキ用板材
２１    板材上面
２２    排水促進面
２３    板材下面
２４    通気促進溝
２５    木口
２６    塗布部
【図１】
2019098653.tif 000003
【図２】
2019098653.tif 000004
【図３】
2019098653.tif 000005
【図４】
2019098653.tif 000006
【図５】
2019098653.tif 000007